(57)【特許請求の範囲】
【請求項１】
第二の傾動部材（３８）と噛み合わされ、時間板（８）に固定された星型歯車（３２）と；
駆動爪（３０）が旋回可能にその上に取り付けられた第一の傾動部材（１５）と；
この駆動爪を、星型歯車（３２）と噛み合わされる位置に弾性的に保持するための戻しバネ（３７）と；
一時間当たり一回転の速度で駆動される渦形カム（１２）と；
前記第一の傾動部材（１５）を前記渦形カム（１２）に対して押し付けるためのバネ（２２）と；
前記第一の傾動部材（１５）と、分針（２）に固定された分歯車（２７）との間のデスモドロミック・リンクと、
を備えた時計において、
前記駆動爪（３０）は、スロット（４３）に噛み合わされたピン（４２）を有し、
このスロットは、前記第一の傾動部材（１５）により描かれる経路の一定の部分に渡って、前記駆動爪（３０）を前記星型歯車（３２）に噛み合わされた位置にロックし、且つ、前記第一の傾動部材（１５）の経路の残りの部分に渡って、前記駆動爪（３０）を解放するように、形成され、
前記第一の傾動部材（１５）は、前記第二の傾動部材（３８）をロックするための突起（１５ｂ）を有し、
前記駆動爪（３０）による前記星型歯車（３２）のロックが外れている間、前記第一の傾動部材（１５）の動きと組み合わされてこの突起（１５ｂ）により描かれる経路の部分は、前記突起（１５ｂ）による前記第二の傾動部材（３８）のロックに対応すること、
を特徴とする時計。
【請求項２】
下記特徴を備えた請求項１に記載の時計：
前記第一の傾動部材（１５）には、旋回可能に取り付けられた第二の爪（１８）と、戻しバネ（２０）と、が取り付けられ、
この戻しバネ（２０）は、前記渦形カム（１２）が前記第一の傾動部材（１５）を駆動する方向へ回転するとき、この第二の爪（１８）を、前記渦形カム（１２）に噛み合う位置に保ち、前記カム（１２）が反対方向へ回転するとき、この第二の爪（１８）が前記戻しバネ（２０）の力に逆らって旋回することを可能にする。
【請求項３】
下記特徴を備えた請求項１または２に記載の時計：
前記第一の傾動部材（１５）は、レーキ（２３）を有し、
このレーキは、前記分針（２）につながる歯車列（２５−２７）に属するピニオン（２４）に噛み合わされている。
【請求項４】
下記特徴を備えた請求項１から３のいずれか１項に記載の時計：
前記分針（２）を支える分歯車（２７）には、前記歯車列（２５−２７）の中のバックラッシュを取り除くための、弾性戻しデバイスが、取り付けられている。
【発明の詳細な説明】
【０００１】
【発明の属する技術分野】
本発明の目的は、時間の表示がいわゆる“インクレメント（increment ）”タイプで、分の表示手段がいわゆる“リセット（reset ）”タイプの時計装置、特に、腕時計を提供することである。
【０００２】
【従来の技術】
時計装置において、信頼性のある簡単な構造で、時間と分とを表示する制御機構部がなかった。
【０００３】
【発明が解決しようとする課題】
本発明の目的は、信頼性のある簡単で機能的な２つの表示手段の制御機構部を提供することである。
【０００４】
【課題を解決するための手段】
時間が“インクレメント”タイプで、分が“リセット”タイプの表示装置を有する時計装置であって、ムーブメントは、毎時１回転操作する回転制御部材の動作に支配される主の第一の傾動部材を有し、この回転制御部材は、第一の傾動部材を、１回転ごとに、戻しバネの偏倚に抗して前進させ、戻し動作によって第一の傾動部材を最初の位置へ戻すように開放し、第一の傾動部材は、この傾動部材の変位により０分から６０分までの分を示す部品にきつく結合され、瞬間的な戻り動作による零位置への急速な戻りをするように配置されていて、また、その各戻り動作の時、第一の傾動部材の前記瞬間的な戻り動作の度に、１時間に１回、時間を示す部材と一体になって星形歯車と協同し、前記時間を示す部材は１時間のインクレメントにつき１ステップの量だけ駆動されるようにした。
【０００５】
【発明の実施の形態】
以下、本発明の実施の形態につき図面を参照して詳細に説明する。
【０００６】
図１に示された時計装置としての腕時計１は、部分品の中心に軸支され分を示す６０に分割された目盛り３に沿って動く分針２を有し、この目盛り３は、１８０度以上に亘って設けられ、０から６０までの数字が刻まれたダイヤル板４によって保持された円形のセクターの形状を有している。
【０００７】
ダイヤル板４は、６時の位置に窓６を有していて、この窓６を通して図７に示すような、その日の時間を示すための指示部材としての時間板８に備えられたその日の時刻７をみることができる。
【０００８】
分針２と時間板８との駆動機構部は、円板状の基板９とブリッジ１０とから成るフレームに支持されている。このフレームは時計のムーブメントに固定され機構部板１１（図５）を有する独立したモジュールを有する。この機構部は、二重軸ピニオン１３によって二重軸１３ａにプレス嵌合された螺旋状のカム１２を有している。螺旋状のカム１２は、上記機構部のフレームの基板９に設けられた長孔１４内に位置している。
【０００９】
基板９は、軸１６で回動可能に設けられ、爪１８を軸１７で回動可能に保持した主の第一の傾動部材１５を有していて、この爪１８は、前記第一の傾動部材１５の透孔を通って延びたピン１９を有し、第一の傾動部材１５に軸２１で固定された戻しバネ２０によって偏倚されている。爪１８は、カム１２と同様、基板９の開口内に位置している。第一の傾動部材１５は、基板９に固定された戻しバネ２２の作動に支配され、第一の傾動部材１５を爪１８を介して係合された螺旋状のカム１２に抗して維持するために機能する。
【００１０】
１時間当たり１回の割合で回転が始まると、第一の傾動部材１５は、カム１２によって徐々に押し上げられ、それによって反時計方向への回転が生じ、１時間毎に１回、カム１２の突起１２ａ（図４）が爪１８を乗り越えると、直ちに元に戻る。
【００１１】
第一の傾動部材１５は、歯部を有するレーキ（rake）２３を形成され、ムーブメントのピニオン２４と係合する延長部１５ａを有していて、ムーブメントの歯車２５は、機構部の基板９とブリッジ１０との間で回転する。ムーブメントの歯車２５は、中間歯車２６と係合していて、この中間歯車２６は、同様に、機構部の基板９とブリッジ１０との間で回転し、ムーブメントの中心で、ブリッジ１０に回転可能に設けられシャフト２７ａと一体になった分歯車２７と係合している。分針２は、シャフト２７ａに保持されている。
【００１２】
螺旋状のカム１２によって生じる第一の傾動部材１５のゆっくりした変位の間、レーキ２３は、ダイヤル板４の目盛り３に沿って分針２を徐々に動かすために、軸２７を上述の歯車列を介して駆動する。歯車のギヤ比は、次のようにして選択される。すなわち、１時間の期間を有する第一の傾動部材１５のゆっくりした変位の間、螺旋状のカム１２が、ムーブメントの分歯車２７と一体になっているので、分針２が、“０”分から“６０”分まで進んで、セクター５の目盛り３の全体をカバーすると６０分経過する。分が進んで、分針２が目盛り３の数字“６０”に到達した丁度その時、カム１２の突起１２ａが第一の傾動部材１５の爪１８を乗り越えた時と一致する。そして後者は、戻しバネ２２の効力により直ちに元に戻り、分が進んで分針２を目盛り３の数字“０”に面するようにする。
【００１３】
従って、分表示は、いわゆる“リセット”タイプである。
【００１４】
螺旋状のカム１２と第一の傾動部材１５との間に爪１８があるので、機構部に何らの損傷も与えずに、戻し動作によって時間を手動でリセットできることが理解できるであろう。このとき爪１８は、戻しバネ２０の動きに抗して、爪１８に隣接して当接しているカム１２の突起１２ａによって、元の位置に戻される。
【００１５】
同様に、分歯車２７は、歯車列のうちのどれかの組み合わせがゆるむことにより生ずるかもしれない、分針２の自動的なリセットを避けるために設計された弾性的戻し部材の作動に支配されることが理解できるであろう。
【００１６】
この戻し機構部は、戻しバネ（図示せず）の作動に支配される歯すなわちレーキ形状のセクタ２８（図２、３および４）を有している。このセクタ２８は、分歯車２７と歯合する歯車２９の下部に一体に設けられたピニオン（図示せず）と歯合している。後者は、レーキ２８の戻しバネによって、同じ方向に偏倚されているので、分針２の偶然のリセットを回避できる。
【００１７】
第一の傾動部材１５は、シャンクネジ３１によって第一の傾動部材１５上に回動可能に設けられ、１２個の分岐を有する星形歯車３２の分岐３２ａと協同する第２の爪３０を有していて、この星形歯車３２は、時間板８をその上にプレス嵌合され、ついで、中央部がムーブメントの中心においてネジ３５によってブリッジ１０に固定されたボールベアリングの外環３３に嵌合されている。この爪３０は、第一の傾動部材１５に固定された戻しバネ３７と協同するピン３６を保持している。
【００１８】
機構部は、さらに、シャンクネジ３９によってフレームの基板９に回動可能に設けられた第二の傾動部材３８を有していて、これは、ネジ４１で基板９に固定された戻しバネ４０の作動に支配される。第二の傾動部材３８は、二つの腕部を有していて、その一方の腕部３８ａは、表示部の窓６に現れる時刻ダイヤル７の数字の１つに対し１つ有る１２のインクレメント（increment ）位置の安定性を確実にするための星形歯車３２の分岐３２ａと協同するよう設計されている。第一の傾動部材１５が戻る度に、その爪３０は、分岐３２ａの１つが第二の傾動部材３８の腕部３８ａの端部に追いつくまで、星形歯車３２の分岐３２ａの１つを同じく時計方向へ向けるように偏倚する。
【００１９】
機構部はさらに、時間板８に衝撃が与えられた場合、１インクレメントまたはそれ以上のインクレメントによるイレギュラーな移動を回避する２重安全装置を有している。
【００２０】
ここで、爪３０は、フレームの基板９に設けられ、円形弧状で、その中心が第一の傾動部材１５の回転中心に合わせられたスロット４３に係合するピン４２を保持している。星形歯車３２を移動させるような衝撃が与えられた場合、ピン４２がスロット４３の内壁に当接し星形歯車がイレギュラーな方法で動くのを阻止するので、爪３０はロックする。
【００２１】
第一の傾動部材１５が、螺旋状のカム１２によって、そのゆっくりした動きの終わりに近づき、その瞬間的な戻り動作の約１０分前になったとき、分針２は、分が進んで目盛り３の数字５０にほぼ対応し、爪３０のピン４２は、スロットの主要部とある角度をなして形成された弧状のスロット４３の直線状の端部４３ａに係合する。そして、爪３０は、自由動可能となり、第一の傾動部材１５の瞬間的な戻り動作の到来の時に星形歯車と協同する用意ができる。
【００２２】
そして、爪３０によるものに替わって、第一の傾動部材１５に設けられた突起１５ｂと協同する先端部３８ｃを有するインクレメントな第二の傾動部材３８の第２の腕部３８ｂによって確保される他のロック装置が作動する。インクレメントな第二の傾動部材３８の腕部３８ａは、このようにして、可能性のある衝撃に対して同様にロックするために、星形歯車３２の分岐３２ａの軌跡上でしっかりと保持される。第一の傾動部材１５がその瞬間的戻り動作をするその時点において、突起１５ｂは、第二の傾動部材３８の腕部３８ｂの先端部３８ｃをそのままにしておき、通常インクレメント手段として機能することができる後者を開放する。
【００２３】
もし、第一の傾動部材１５の瞬間的な戻り動作の約１０分前の同じ期間に、星形歯車３２を後方に戻すような衝撃を受けた場合、インクレメントな第二の傾動部材３８の腕部３８ａは、星形歯車と係合するので、星形歯車の後方への移動は阻止される。
【００２４】
星形歯車のロックは、このようにして、どちらの方向に対しても完全に行われる。
【００２５】
【発明の効果】
上述の、また、図示した時計の表示手段の制御機構部は、基板９とブリッジ１０とを有する単一の部品で形成されていて、いかなる変形もせず、同様の部品も必要とせず、いかなるタイプの時計にも設けることができる。
【図面の簡単な説明】
【図１】本発明の時計装置を腕時計に応用した斜視図。
【図２】図１に示した時計の表示装置の制御機構部の一部を拡大した斜視図。
【図３】図２と同じ制御機構部を、図２と同じ縮尺で、図面をわかりやすくするために装置の一部の部品を取り除いて示した斜視図。
【図４】図３に示した制御機構部の平面図。
【図５】図４のＶ―Ｖ線に沿った拡大断面図。
【図６】図１に示した時計の表示装置の制御機構部の拡大斜視図。
【図７】図１に示した時計とほぼ同じ縮尺の指示部材の平面図。
【符号の説明】
１時計（腕時計）、２……分針、４……時間板、５……セクター、６……窓、８……時間板、９……（円板状の）基板、１０……ブリッジ、１２……螺旋状のカム、１２ａ……（螺旋状のカムの）突起、１５……（主の）第一の傾動部材、３８……第二の傾動部材、１８……爪、２０、２２、３７、４０……戻しバネ、２３……レーキ（rake）２４……ムーブメント、２７……分歯車、２７ａ……シャフト、３０……星形歯車
【図１】
0004040714.tif 000002
【図２】
0004040714.tif 000003
【図３】
0004040714.tif 000004
【図４】
0004040714.tif 000005
【図５】
0004040714.tif 000006
【図６】
0004040714.tif 000007
【図７】
0004040714.tif 000008